(57)【要約】【課題】着用者の排泄物はいうまでもなく、吸収性本体を構成する吸収体に含まれる高分子吸収剤（ＳＡＰ）あるいはパルプ等がパンツの開口部等から外に流出することがなく、かつ着用者が自由に動き回ることができるようにした使い捨てのスイミング用パンツ型おむつを提供すること。【解決手段】少なくとも、透液性トップシートと、不透液性シートと、前記シート間に介在された吸収体とにより吸収性本体を形成すると共に、該吸収性本体のトップシート側に起立する立体ギャザーにより排泄物収容ポケットを形成し、かつ前記吸収体を少量のパルプ材を主成分として構成する。【選択図】        図２
2005000537.tif 000002
【特許請求の範囲】
【請求項１】
少なくとも、透液性トップシートと、不透液性シートと、前記シート間に介在された吸収体とにより吸収性本体を形成すると共に、該吸収性本体のトップシート側に起立する立体ギャザーにより排泄物収容ポケットを形成し、かつ前記吸収体を少量のパルプ材を主成分として構成したことを特徴とする使い捨ての水遊び用パンツ型おむつ。
【請求項２】
前記吸収体は高分子吸収剤（ＳＡＰ）を含まないことを特徴とする請求項１に記載の水遊び用パンツ型おむつ。
【請求項３】
前記吸収体に含まれる高分子吸収剤（ＳＡＰ）の量は１０重量％以下であることを特徴とする請求項１に記載の水遊び用パンツ型おむつ。
【請求項４】
前記吸収体に含まれる前記パルプ材の量は１０ｇを越えない量であることを特徴とする、請求項１ないし請求項３のいずれかに記載の水遊び用パンツ型おむつ。
【請求項５】
前記トップシート上面に形成される排泄物収容ポケットの容積は６００〜８００ｃｍ３であることを特徴とする請求項１ないし請求項４のいずれかに記載の水遊び用パンツ型おむつ。
【発明の詳細な説明】
【０００１】
【発明の属する技術分野】
本発明は、パンツ型おむつに関し、さらに詳細には、とくに乳幼児等の子供が水遊びや水泳ぎ等で着用する水着として好適であり、また、この水着の下に着用するアンダーパンツとしても使用できる使い捨ての水遊び用パンツ型おむつに関する。
【０００２】
【従来の技術】
通常、使い捨てのおむつ、例えばパンツ型の紙おむつは、少なくとも、透液性トップシートと、不透液性シートと、前記シート間に介在された吸収体とにより形成されたパンツ型の吸収性本体の上面、すなわちトップシートの上面に液漏れ防止用の立体ギャザーが設けられ、不織布等により形成されたパンツ型おむつの外層シート、すなわちバックシートの使用面側に前記吸収性本体が接着されて成っている。なお、吸収体は、トップシートの上面に排泄された尿や便等の排泄物を吸収するため、主成分としてフラップ状木材パルや綿状パルプ等のパルプ材と、いわゆる高分子吸収剤（Ｓｕｐｅｒ  Ａｂｓｏｒｂｅｎｔ  Ｐｏｌｙｍｅｒ：以下「ＳＡＰ」という）との組み合わせで成っている（例えば、特許文献１参照。）。
【０００３】
【特許文献１】
特開平１０−３１４２１７号公報
【０００４】
【発明が解決しようとする課題】
しかしながら、このような使い捨ての紙おむつを着用すると、吸収体に厚みがあるため股間部が嵩張って脚部の動きが制約され、まして、乳幼児等の子供が着用し、家庭用のビニールプールや公共のプール等で水遊びや水泳ぎをした場合には、吸収体に含まれるＳＡＰが水を吸収して紙おむつ自体の重量が増すため、一層自由度が失われる欠点があった。加えて、ＳＡＰやパルプ材が紙おむつの脚周り部、あるいは胴周り部等の開口部等から外に流出して水を汚してしまうことがあり、衛生面からも問題があって水遊び用としては不向きであった。
【０００５】
一方、従来、このような子供の水遊びや水泳ぎには子供用のスイミングパンツが市販され、使用されているが、とくに乳幼児等の場合には尿や便等の排泄物を水中で漏らしてしまうことがあり、これがパンツの開口部等から流出してプールの水をさらに汚してしまうため、衛生上決して好ましいものではなかった。
【０００６】
なお、従来、上述したようなＳＡＰを使用しない紙おむつも公知であるが、この紙おむつはあくまでも着用者のトレーニング用としてのものであって、常時着用するものではなく、まして水遊び用としてのものではなかった。
本発明は、上述したような実情に鑑みてなされたもので、その目的とするところは、着用者の排泄物はいうまでもなく、吸収性本体を構成する吸収体に含まれるＳＡＰあるいはパルプ等がパンツの開口部等から外に流出することがなく、かつ着用者が自由に動き回ることができるようにした使い捨ての水遊び用パンツ型おむつを提供することにある。
【０００７】
【発明を解決するための手段】
本発明の上記目的は、少なくとも、透液性トップシートと、不透液性シートと、前記シート間に介在された吸収体とにより吸収性本体を形成すると共に、該吸収性本体のトップシート側に起立する立体ギャザーにより排泄物収容ポケットを形成し、かつ前記吸収体を少量のパルプ材を主成分として構成したことを特徴とする使い捨ての水遊び用パンツ型おむつを提供することによって達成される。
【０００８】
また、本発明の上記目的は、前記吸収体は高分子吸収剤（ＳＡＰ）を含まないことを特徴とする水遊び用パンツ型おむつを提供することによって、より効果的に達成される。
【０００９】
また、本発明の上記目的は、前記吸収体に含まれる高分子吸収剤（ＳＡＰ）の量は１０重量％以下であることを特徴とする水遊び用パンツ型おむつを提供することによって、より効果的に達成される。
【００１０】
また、本発明の上記目的は、前記吸収体に含まれる前記パルプ材の量は１０ｇを越えない量であることを特徴とする水遊び用パンツ型おむつを提供することによって、より効果的に達成される。
【００１１】
さらにまた、本発明の上記目的は、前記トップシート上面に形成される排泄物収容ポケットの容積は６００〜８００ｃｍ３であることを特徴とする水遊び用パンツ型おむつを提供することによって、より効果的に達成される。
【００１２】
以下、本発明の内容を実施例に基き詳述するが、本発明は必ずしも本実施例に限定されるものではなく、特許請求の範囲を逸脱しない範囲内において種々の変更ができることはいうまでもない。
【００１３】
【発明の実施の形態】
図１は、本発明の一実施形態に係わる使い捨ての水遊び用パンツ型おむつ（以下、単に「おむつ」という）１を展開して表面側から見た一部断面平面図、図２はその斜視図、図３はパンツ型に形成された場合の正面図、図４は図１のＸ−Ｘ断面である。
【００１４】
本おむつ１は、主とて、透液性のトップシート２と、防水フィルム等から成る不透液性のシート７と、これらのシート間に介在された吸収体４により吸収性本体５が形成され、さらに詳細には、図４に示すように、吸収体４は上部クレープ紙６ｕと下部クレープ紙６ｄにより被覆され、不透液性のシート３の下方には不織布等から成るバックシート３が設けられ、トップシート２の上面の長手方向両側には尿や便等の排泄物の漏れ出しを防止する立体ギャザー８が設けられている。なお、これらの各部材については当分野で一般によく知られているものが適用されるので、この詳細の説明は省略する。これらの各部材はホットメルト接着剤等の接着剤により、図４に×印で示すように相互に接着されることも周知である。
【００１５】
図１に示すように、吸収性本体５は、吸収体４と共に平面形状が砂時計状に形成され、吸収性本体５の背部側の胴回り部９ｂ及び腹部側の胴回り部９ｆにはゴム紐等から成る複数本の弾性伸縮部材１０が配設されてエンドフラップ部ＥＦが形成され、同様に左右の脚部周り部１１にも弾性伸縮部材１０が配設されてサイドフラップ部ＳＦが形成されている。このように形成された吸収性本体５は、背部側の胴回り部９ｂ及び腹部側の胴回り９ｆ部の各側端部が接着剤等により一体的に結合され、最終的には図４に示すような、外観上従来の使い捨て紙おむつと何ら変わりのないパンツ型のおむつ１が完成される。
【００１６】
図４に示すように、立体ギャザー８は一端側がサイドフラップ部ＳＦ側に接着され、他端部、すなわち先端部には弾性伸縮部材１０が挿通されて吸収性本体５の上面側に立ち上がるように形成され、かつ図１及び図２に示すように吸収体４の幅方向外側から長手方向、すなわち各エンドフラップＥＦに向かって設けられている。このように設けられた立体ギャザー８と各エンドフラップＥＦにより、吸収性本体５の中央部には尿や便等の排泄物を収容するポケット（以下、「便ポケット」という）１２が形成される。なお、本おむつ１では、立体ギャザー８の立設高さを大きくし、あるいはこの立設範囲を広げる等により、便ポケット１２の容積が６００〜８００ｃｍ３に、好ましくは７００ｃｍ３前後に設定されている。この容積は、従来一般に用いられている紙おむつの数倍に当たるもので、本おむつ１では大量の排泄物を収容できるように設計されている。
【００１７】
また、本おむつ１では、吸収性本体５の主要部を占める吸収体４は、パルプ材の含有量が従来の紙おむつの略半分の量で構成され、従来のＳＡＰは全く含有しない構成となっている。なお、本発明においては、このパルプ材の含有量は１０ｇを越えない量であればよく、また、ＳＡＰの量は吸収体全体の１０重量％以下の量であれば適用することができる。このように、本おむつ１では、ＳＡＰを全く使用せず、かつ、パルプ材の使用量も従来の略半分程度の少量であるので、プール等の水中に入っても、従来のようにＳＡＰが流出することがなく、また、パルプ材の流出も殆どゼロに抑えることができる。
【００１８】
また、上述したように、本おむつ１では吸収体４に使用されるパルプ材の量が少ないことにより、製品自体の厚みが薄くなり、このため着用時にも嵩張り感がなく、脚部を自由に動かすことができる。なお、本発明者の実験によれば、本おむつ１を作製し、この製品の最大厚み部分、すなわち図１に示す吸収性本体５の略中央部における厚みを測定したところ、荷重ＴＯ＝０．５ｇ／ｃｍ２では１３．６４ｍｍとなり、荷重ＴＭ＝５０ｇ／ｃｍ２では７．４８ｍｍとなって厚みの薄いことが確認された。
【００１９】
また、本おむつ１の水分保水量、すなわち本おむつ１を水の入った水槽に入れる前の重量と、入れて１時間放置した後の重量との差、を求めたところ、その数値は１８６ｇとなり、保水量の高いことが確認された。
【００２０】
以上に詳述したように、本発明に係わるおむつ１は、外観上従来の紙おむつと格別変わりはないが、吸収性本体５のトップシート２の上面に立体ギャザー８により便ポケット１２を形成し、多量の排泄物を収容できるようにすると共に、吸収体を少量のパルプ材と１０重量％以下の高分子吸収剤（ＳＡＰ）とにより構成したので、本おむつ１を着用して水遊びや水泳ぎをしても、排泄物は便ポケット１２により収容されて外に流出することが防止され、また、ＳＡＰはもとよりパルプ材の流出が確実に阻止されるので、プール等の水を汚す心配がなくなる利点がある。さらにまた、吸収体４の厚みを薄くすることができるので、着用しても脚部を自由に動かすことができる利点がある。
【００２１】
以上、本発明の内容を一実施例について説明したが、本発明は水着用のみならず、この水着の下に着用するアンダーパンツとしても使用することができる。また、本発明は、パンツ型に限らず、テープ式の紙おむつであっても適用することができ、さらにまた、一般の使い捨てパンツ型紙おむつ、あるいはトレーニング用の使い捨てパンツ型紙おむつとしても使用できることはいうまでもない。
【００２２】
【発明の効果】
以上に詳述したように、本発明によれば、着用者の排泄物はいうまでもなく、吸収性本体を構成する吸収体に含まれるＳＡＰあるいはパルプ等がパンツの開口部等から外に流出することがなく、かつ着用者が自由に動き回ることができるようにした使い捨ての水遊び用パンツ型おむつを提供することができる。
【図面の簡単な説明】
【図１】本発明に係わるパンツ型紙おむつを展開して表面側から見た一部断面平面図である。
【図２】図１の斜視図である。
【図３】上記パンツ型紙おむつの完成正面図である。
【図４】図１のＸ−Ｘ断面矢視図である。
【符号の説明】
１              本発明に係わるパンツ型おむつ
２              透液性のトップシート
３              バックシート
４              吸収体
５              吸収性本体
６ｕ            上部クレープ紙
６ｄ            下部クレープ紙
７              不透液性のシート（防水フィルム）
８              立体ギャザー
９ｂ            背部側の胴回り部
９ｆ            腹部側の胴回り部
１０            弾性伸縮部材
１１            脚周り部
ＥＦ            エンドフラップ
ＳＦ            サイドフラップ
【図１】
2005000537.tif 000003
【図２】
2005000537.tif 000004
【図３】
2005000537.tif 000005
【図４】
2005000537.tif 000006